(57)【要約】  共射出ノズルを有する共射出ホットランナに設置されるように構成される射出成形シューティングポットアセンブリの逆止弁であって、共射出ノズルは同じゲートで終端する少なくとも２つの溶融物チャネルを有し、射出成形シューティングポットアセンブリの逆止弁は、弁入口及び弁出口を備える。逆止弁閉鎖体（好ましくはボール）は、（ｉ）シューティングポットアセンブリと一体的に、又はシューティングポットアセンブリにすぐ隣接して配置され、且つ（ｉｉ）シューティングポットアセンブリの溶融物排出動作に応答して弁入口への樹脂漏れを防ぐように構成される。好ましくは、一体型逆止弁を備えるこのようなシューティングポットアセンブリが、共射出成形機に２つ以上設けられる。
2008504146.tif 000002
【特許請求の範囲】
【請求項１】
共射出ノズルを有する共射出ホットランナに設置されるように構成される射出成形シューティングポットアセンブリの逆止弁であって、前記共射出ノズルは同じゲートで終端する少なくとも２つの溶融物チャネルを有し、該射出成形シューティングポットアセンブリの逆止弁は、
弁入口と、
弁出口と、
（ｉ）前記シューティングポットアセンブリと一体的に、又は前記シューティングポットアセンブリにすぐ隣接して配置され、且つ（ｉｉ）前記シューティングポットアセンブリの溶融物排出動作に応答して前記弁入口への樹脂の漏れを防ぐように構成される閉鎖体と
を備える、射出成形シューティングポットアセンブリの逆止弁。
【請求項２】
前記閉鎖体は、前記シューティングポットアセンブリのシューティングポットシリンダ内に配置されるように構成される、請求項１に記載の射出成形シューティングポットアセンブリの逆止弁。
【請求項３】
前記弁入口及び前記弁出口は、前記シューティングポットアセンブリの前記シューティングポットシリンダ内に配置されるように構成される、請求項２に記載の射出成形シューティングポットアセンブリの逆止弁。
【請求項４】
逆止弁チャンバをさらに備え、前記閉鎖体は、前記シューティングポットアセンブリの排出に応答して前記逆止弁チャンバ内で移動するボールとして構成される、請求項１に記載の射出成形シューティングポットアセンブリの逆止弁。
【請求項５】
前記逆止弁チャンバは、前記逆止弁のボールの直径の少なくとも２倍の長さを有するように構成される、請求項４に記載の射出成形シューティングポットアセンブリの逆止弁。
【請求項６】
前記弁入口及び前記弁出口のうちの少なくとも一方は、前記シューティングポットアセンブリの中心線と同軸上に配置される、請求項１に記載の射出成形シューティングポットアセンブリの逆止弁。
【請求項７】
共射出ノズルを有する共射出ホットランナに設置されるように構成される射出成形シューティングポットアセンブリの逆止弁であって、前記共射出ノズルは同じゲートで終端する少なくとも２つの溶融物チャネルを有し、該射出成形シューティングポットアセンブリの逆止弁は、
溶融物入口チャネルと、
溶融物を前記共射出ノズルに提供するように構成される溶融物出口チャネルと、
前記溶融物入口チャネルと前記溶融物出口チャネルとの間に配置されるシューティングポットシリンダと、
該シューティングポットシリンダ内での移動により、溶融物を該シューティングポットシリンダから前記溶融物出口チャネルに排出するようにするシューティングポットピストンと、
前記シューティングポットシリンダと一体的に、又は前記シューティングポットシリンダにすぐ隣接して配置され、該シューティングポットシリンダからの溶融物の排出に応答して前記溶融物入口チャネルへの溶融物の漏れを防ぐように構成される逆止弁と
を備える、射出成形シューティングポットアセンブリの逆止弁。
【請求項８】
第２の溶融物入口チャネルと、
第２の溶融物を前記共射出ノズルに供給するように構成される第２の溶融物出口チャネルと、
前記第２の溶融物入口チャネルと前記第２の溶融物出口チャネルとの間に配置される第２のシューティングポットシリンダと、
該第２のシューティングポットシリンダ内での移動により、前記第２の溶融物を該第２のシューティングポットシリンダから前記第２の溶融物出口チャネルに排出するようにする第２のシューティングポットピストンと、
前記第２のシューティングポットシリンダにすぐ隣接して配置され、該第２のシューティングポットシリンダからの溶融物排出に応答して前記第２の溶融物入口チャネルに前記第２の溶融物が漏れないようにする第２の逆止弁と
をさらに備える、請求項７に記載の射出成形シューティングポットアセンブリの逆止弁。
【請求項９】
前記シューティングポットシリンダ及び前記第２のシューティングポットシリンダはほぼ共線的に配置される、請求項７に記載の射出成形シューティングポットアセンブリの逆止弁。
【請求項１０】
前記溶融物入口チャネル及び前記溶融物出口チャネルのうちの一方は、前記シューティングポットシリンダの縦軸に対して交差するように配置され、前記溶融物入口チャネル及び前記溶融物出口チャネルのうちの他方は、前記シューティングポットシリンダの前記縦軸にほぼ平行に配置される、請求項９に記載の射出成形シューティングポットアセンブリの逆止弁。
【請求項１１】
前記逆止弁は逆止弁チャンバ内に配置されたボールを備え、前記逆止弁チャンバは前記逆止弁のボールの直径の少なくとも２倍の長さを有する、請求項１０に記載の射出成形シューティングポットアセンブリの逆止弁。
【請求項１２】
前記逆止弁チャンバの長さは、前記逆止弁のボールの直径の２倍よりも長い、請求項１１に記載の射出成形シューティングポットアセンブリの逆止弁。
【請求項１３】
前記逆止弁は、
前記溶融物入口チャネルと流体連通する逆止弁入口と、
前記溶融物出口チャネルと流体連通する逆止弁出口と、
逆止弁チャンバと、
（ｉ）溶融物が前記溶融物入口チャネルから前記逆止弁入口を通して前記シューティングポットシリンダに送られると、前記第１の位置に移動し、且つ（ｉｉ）前記シューティングポットシリンダから前記溶融物出口チャネルへの溶融物の移動に応答して第２の位置に移動して、前記溶融物入口チャネルへの溶融物の漏れを低減するように構成される逆止弁閉鎖体と
を備える、請求項７に記載の射出成形シューティングポットアセンブリの逆止弁。
【請求項１４】
共射出ノズルを有する共射出ホットランナに設置されるように構成される射出成形シューティングポットアセンブリの逆止弁であって、前記共射出ノズルは同じゲートで終端する少なくとも２つの溶融物チャネルを有し、該射出成形シューティングポットアセンブリの逆止弁は、
シューティングポットピストンと、
該シューティングポットピストンが作動すると、溶融物を溶融物出口チャネルに排出するように構成されるシューティングポットシリンダと、
該シューティングポットシリンダと一体的に、又は該シューティングポットシリンダにすぐ隣接して配置され、前記シューティングポットピストンの作動による前記シューティングポットシリンダからの前記溶融物の少なくとも部分的な排出に応答して、前記シューティングポットシリンダからの溶融物入口チャネルへの溶融物の漏れを低減するように構成される逆止弁と、
を備える、射出成形シューティングポットアセンブリの逆止弁。
【請求項１５】
第２のシューティングポットピストンと、
該第２のシューティングポットピストンが作動すると、第２の溶融物を排出するように構成される第２のシューティングポットシリンダと、
該第２のシューティングポットシリンダ内に、又は該第２のシューティングポットシリンダにすぐ隣接して配置され、前記第２のシューティングポットピストンの作動による前記第２のシューティングポットシリンダからの前記第２の溶融物の少なくとも部分的な排出に応答して、前記第２のシューティングポットシリンダからの前記第２の溶融物の漏れを低減するように構成される第２の逆止弁と
をさらに備える、請求項１４に記載の射出成形シューティングポットアセンブリの逆止弁。
【請求項１６】
前記シューティングポットシリンダ及び前記第２のシューティングポットシリンダの縦軸はほぼ共直線である、請求項１５に記載の射出成形シューティングポットアセンブリの逆止弁。
【請求項１７】
逆止弁チャンバ内に配置される逆止弁のボールをさらに備え、前記逆止弁チャンバは前記逆止弁のボールの直径の２倍以上の長さを有する、請求項１４に記載の射出成形シューティングポットアセンブリの逆止弁。
【請求項１８】
前記シューティングポットシリンダの縦軸は、前記溶融物入口チャネル及び前記溶融物出口チャネルのうちの少なくとも一方の少なくとも一部とほぼ同軸上に配置される、請求項１７に記載の射出成形シューティングポットアセンブリの逆止弁。
【請求項１９】
共射出ノズルを有する共射出ホットランナに設置されるように構成される射出成形シューティングポットアセンブリの逆止弁であって、前記共射出ノズルは同じゲートで終端する少なくとも２つの溶融物チャネルを有し、該射出成形シューティングポットアセンブリの逆止弁は、
マニホルド内に少なくとも部分的に配置されるように構成されるシューティングポットシリンダと、
該シューティングポットシリンダ内に少なくとも部分的に配置されるシューティングポットピストンと、
前記シューティングポットシリンダと一体的な、又は前記シューティングポットシリンダにすぐに隣接する逆止弁チャンバと、
該逆止弁チャンバ内に配置される逆止弁閉鎖体と
を備える、射出成形シューティングポットアセンブリの逆止弁。
【請求項２０】
共射出ノズルを有する共射出ホットランナに設置されるように構成される射出成形シューティングポットアセンブリの逆止弁であって、前記共射出ノズルは同じゲートで終端する少なくとも２つの溶融物チャネルを有し、該射出成形シューティングポットアセンブリの逆止弁は、
シューティングポットシリンダと、
該シューティングポットシリンダと一体的に、又は該シューティングポットシリンダにすぐ隣接して配置された逆止弁チャンバ内において逆止弁閉鎖体を移動させて、前記シューティングポットシリンダに溶融物を少なくとも部分的に充填させる手段と、
前記シューティングポットシリンダから溶融物出口チャネルを通して、更に共射出ノズルを通して前記溶融物を金型キャビティ内に排出する手段と
を備え、
該排出する手段は、前記逆止弁閉鎖体を逆止弁チャンバ内で移動させて、前記シューティングポットシリンダから溶融物入口チャネルへの溶融物の漏れを実質的に低減する、射出成形シューティングポットアセンブリの逆止弁。
【発明の詳細な説明】
【技術分野】
【０００１】
本発明は、射出成形機での共射出（コ・インジェクション）ホットランナアセンブリのシューティングポットシリンダの本体内に組み込まれる改良型逆止弁アセンブリに関する。
【背景技術】
【０００２】
［発明の背景］
共射出（コ・インジェクション）成形は通常、積層壁構造を有する多層プラスチック包装品の成形に使用される。各層は通常、単一ノズル構造内の異なる環状通路又は円形通路を通過し、各層は部分的に、同じゲートを通って順次射出される。共射出ホットランナシステムによっては、１つのプラスチック樹脂材料を計量して、成形サイクルにおいて多重金型の各キャビティが正確な分量のその樹脂を受けるようにするシューティングポットを備えるものがある。ある構成によっては、逆止弁を使用して、シューティングポットがノズルを通して樹脂を排出するときに樹脂の逆流を防ぐものがある。
【０００３】
Schadに付与された米国特許第４，７１７，３２４号には、シューティングポットを備えるが逆止弁を使用しない共射出ホットランナアセンブリが開示されている。逆止弁に代えて、回転弁が、シューティングポットからの射出中に樹脂の逆流を防ぐために使用される。回転弁は、コスト及び複雑性を増大させることとなる外部作動機構を必要としただけでなく、樹脂漏れし易い。
【０００４】
Krishnakumarに付与された米国特許第４，７１０，１１８号には、逆止弁を使用して射出中のシューティングポットからの樹脂の逆流を防ぐ、シューティングポットを備える共射出ホットランナアセンブリが開示されている。この特許では、逆止弁は概略的に示されており、溶融物チャネルの一部としてマニホルド内に含められている。逆止弁がどのように設置されるか、又は必要に応じて逆止弁がどのように機能するかにについての教示はない。
【０００５】
図１〜図３は、共射出ホットランナマニホルドに設置された既知の逆止弁構成を示す。その設置はシューティングポットアセンブリから離れていて、設置されなければアセンブリ全体のサイズを縮小することができる空間を占有している。図３は、クロスジベル（cross dowel）１３によって保持される、ボール（又は他の閉鎖物）１２がある溶融物チャネル１１を含むアセンブリ、すなわちインサート１０の詳細を示す。このインサートは、プレート１４によってマニホルド内で保持され、ジベル（dowel) １５によってプレートの方に方向付けられ、溶融物チャネル１１への入口／出口がマニホルド（図示せず）内の対応するチャネル（複数可）と整合されることを保証する。通常、各シューティングポットに１つが設置され、したがって、４８キャビティ金型の場合に２つの材料の共射出ホットランナには少なくとも１２個の逆止弁が設置される。
【発明の開示】
【発明が解決しようとする課題】
【０００６】
したがって、必要とされるのは、設置が容易であり、保守し易く、信頼性が高く、シューティングポットの周辺においてスペースを最小とするシューティングポット逆止弁アセンブリである。
【課題を解決するための手段】
【０００７】
［発明の概要］
本発明の利点は、設置及び保守をより効率的且つ低コストにしながら、射出された樹脂が効果的且つ信頼的に射出溶融物チャネル中に漏れないようにするシューティングポット逆止弁の方法及び装置を提供することである。
【０００８】
本発明の第１の態様によれば、共射出（コ・インジェクション）ノズルを有する共射出ホットランナに設置されるように構成される射出成形用シューティングポットアセンブリの逆止弁のための構造及び／又はステップのユニークな組み合わせであって、共射出ノズルは同じゲートで終端する少なくとも２つの溶融物チャネルを有する、射出成形用シューティングポットアセンブリの逆止弁のための構造及び／又はステップのユニークな組み合わせが提供される。逆止弁は好ましくは、弁入口及び弁出口を備える。逆止弁の閉鎖体が、（ｉ）シューティングポットアセンブリと一体的に、又はシューティングポットアセンブリにすぐ隣接して配置され、且つ（ｉｉ）シューティングポットアセンブリの溶融物排出動作に応答して弁入口への樹脂漏れを防ぐように構成される。
【０００９】
本発明の第２の態様によれば、共射出ノズルを有する共射出ホットランナに設置されるように構成される射出成形用シューティングポットアセンブリの逆止弁のための構造及び／又はステップのユニークな組み合わせであって、共射出ノズルは同じゲートで終端する少なくとも２つの溶融物チャネルを有する、射出成形用シューティングポットアセンブリの逆止弁のための構造及び／又はステップのユニークな組み合わせが提供される。好ましくは、逆止弁は、溶融物入口チャネルと、溶融物を共射出ノズルに供給するように構成される溶融物出口チャネルとを備える。シューティングポットシリンダが、溶融物入口チャネルと溶融物出口チャネルとの間に配置される。シューティングポットピストンが、シューティングポットシリンダ内で移動して、溶融物をシューティングポットシリンダから溶融物出口チャネルに排出するように構成される。逆止弁が、シューティングポットシリンダと一体的に、又はシューティングポットシリンダにすぐ隣接して配置され、シューティングポットシリンダからの溶融物の排出に応答して溶融物が溶融物入口チャネルに漏れないように構成される。
【００１０】
本発明の第３の態様によれば、共射出ノズルを有する共射出ホットランナに設置されるように構成される射出成形用シューティングポットアセンブリの逆止弁のための構造及び／又はステップのユニークな組み合わせであって、共射出ノズルは同じゲートで終端する少なくとも２つの溶融物チャネルを有する、射出成形用シューティングポットアセンブリの逆止弁のための構造及び／又はステップのユニークな組み合わせが提供される。逆止弁はシューティングポットピストン、及びシューティングポットピストンが作動すると溶融物出口チャネルに溶融物を排出するように構成されるシューティングポットシリンダを備える。逆止弁は、シューティングポットシリンダと一体的に、又はシューティングポットシリンダにすぐ隣接して配置され、シューティングポットピストンの作動時のシューティングポットシリンダからの溶融物の少なくとも部分的な排出に応答して、シューティングポットシリンダから溶融物入口チャネルへの溶融物の漏れを低減するように構成される。
【００１１】
本発明の第４の態様によれば、共射出ノズルを有する共射出ホットランナに設置されるように構成される射出成形用シューティングポットアセンブリの逆止弁のための構造及び／又はステップのユニークな組み合わせであって、共射出ノズルは同じゲートで終端する少なくとも２つの溶融物チャネルを有する、射出成形用シューティングポットアセンブリの逆止弁のための構造及び／又はステップのユニークな組み合わせが提供される。逆止弁は、シューティングポットシリンダと、シューティングポットシリンダと一体的に、又はシューティングポットシリンダにすぐ隣接して配置される逆止弁チャンバ内で逆止弁閉鎖体を移動させて、シューティングポットシリンダに少なくとも部分的に溶融物を充填させる手段とを備える。シューティングポットシリンダから溶融物出口チャネルを通して、そして、共射出ノズルを通して金型キャビティ内に溶融物を排出する手段が提供される。該排出する手段は、逆止弁チャンバ内で逆止弁閉鎖体を移動させて、上記シューティングポットシリンダから溶融物入口チャネルへの溶融物の漏れを実質的に低減する。
【００１２】
本発明の現時点で好ましい特徴の例示的な実施形態について添付図面を参照しつつこれより説明する。
【発明を実施するための最良の形態】
【００１３】
［好ましい実施形態の詳細な説明］
１．序説
本発明について、一体型逆止弁がプラスチック共射出（コ・インジェクション）成形機のシューティングポットに使用されるいくつかの実施形態に関連してこれより説明する。共射出（コ・インジェクション）プロセスは、ゲートを通して第１の材料を部分的に射出した後、同じゲートを通して第２の材料を部分的に射出する。
【００１４】
２．第１の実施形態の構造
図４は、本発明による第１の実施形態による共射出（コ・インジェクション）ホットランナアセンブリの一部を示す。第１のマニホルド２０は、シューティングポット(shooting pot)と、第１の樹脂「Ａ」をノズル２２内の第１の溶融物チャネル２１に供給する溶融物チャネル（図示せず）とを有する。第２のマニホルド２３は、第２の樹脂「Ｃ」を供給する溶融物チャネル２５を介してノズル２２における第２の溶融物チャネル２６に接続される少なくとも１つのシューティングポットアセンブリ２４を有する。第１の溶融物チャネル２１及び第２の溶融物チャネル２６は、ノズル２２の同じゲート開口に射出する。シューティングポットアセンブリ２４は好ましくは、シューティングポットシリンダ２７、シューティングポットピストン２８、及び逆止弁２９を備える。逆止弁２９は好ましくは、シューティングポットシリンダ２７内に、又はシリンダ２７内に部分的に（すなわち、一体的に）収容される。別法として、逆止弁２９は、スペースを節減するためにシューティングポットシリンダ２７にすぐ隣接して配置してもよい。また、好ましい実施形態においては、３、４、又は５以上の樹脂を共射出するノズルでの使用に適合することができる。
【００１５】
好ましくは、シューティングポットアセンブリ２４は、逆止弁２９に至る入口チャネル３２及びシューティングポットチャンバ３０から出て行く出口チャネル３３に対して第２のマニホルド２３の溶融物チャネルが整合するように第２のマニホルド２３にセットされる。この構成においては、シューティングポットから排出されるときに、逆止弁２９は、樹脂が溶融物チャネルに戻って漏れるのを防止するように機能する。好ましくは、逆止弁２９は各シューティングポットに設けられる。逆止弁２９は、用途に応じて任意のサイズ及び形状であってもよい。
【００１６】
図４の実施形態では、逆止弁のボールはボール径約６.０ｍｍ、シューティングポットピストン径約１０.０ｍｍ、及びシューティングポットシリンダ全長約８３.０ｍｍを有する。しかし、これら寸法のサイズは用途に応じて大きく変化し得る。
【００１７】
３．第１の実施形態の方法
動作に際して、第２のマニホルド２３の入口チャネル３２を介して射出ユニット（図示せず）から供給される樹脂は、逆止弁２９を通過して流れてシューティングポットチャンバ３０を充填し、それによってチャンバ３０の所定ショットサイズになるまでシューティングポットピストン２８を上方に変位させる。アクチュエータ３１によるシューティングポットピストン２８の順方向（下方）作動により、シューティングポットチャンバ３０内の「Ｃ］樹脂がチャネル２５及び２６に沿って移動し、金型キャビティ（図示せず）に導入される。ピストン２８による「Ｃ」樹脂の移動はまた、逆止弁をしてシューティングポットシリンダ２７における入口チャネル３２を閉止せしめ、それによって「Ｃ」樹脂が射出ユニットに向かって逆流しないようにする。逆止弁をシューティングポットシリンダ内に、部分的にシリンダ内に、又はシリンダに隣接して備えることにより、製造コスト、組立コスト、及び保守コストが低減し、かつホットランナアセンブリ内のスペースが節減されることとなる。
【００１８】
４．第２の実施形態の構造
図５は、シューティングポットが共射出ホットランナアセンブリの両方のマニホルドに示される本発明の第２の実施形態を示す。第１のマニホルド４０は、少なくとも１つの第１のシューティングポットアセンブリ４１、及び第１の樹脂「Ａ」をノズル４４における溶融物チャネル４３に供給する溶融物チャネル４２を有する。第１の逆止弁５１が第１のシューティングポットアセンブリ４１内に配置される。逆止弁５１の入口チャネル５０及び出口チャネル４９の両方が、シューティングポット４１の中心線を交差するように整合されている。
【００１９】
第２のマニホルド４５は、第２の樹脂「Ｃ」を供給する溶融物チャネル４７を介してノズル４４における溶融物チャネル４８に接続される少なくとも１つの第２のシューティングポットアセンブリ４６を有する。第２の逆止弁５２は、第２のシューティングポットアセンブリ４６内に配置される。ここでも、逆止弁５２の入口チャネル５３及び出口チャネル５４は、シューティングポット４６の中心線を交差するように整合されている。各逆止弁を収容した各シューティングポットアセンブリのコンパクトな構成により、２つのマニホルドにおけるシューティングポットを同軸上に位置合わせすることができる。すなわち、シューティングポット４６はシューティングポット４１の真下にあり、それによってシューティングポットをそれぞれのマニホルドに収容するための横断スペース要件が最適化される。
【００２０】
５．第２の実施形態の方法
動作においては、シューティングポットは、用いられる共射出成形プロセスに従って同時に、又は順次作動し、第１の実施形態に関連して上述したようにそれぞれの逆止弁が動作して逆流を防ぐ。
【００２１】
６．さらなる代替の構造
図６は、入口チャネル７０がシューティングポット７２の中心線と同軸に整合されており、出口チャネル７１がシューティングポット７２の中心線に対して交差する、本発明の好ましい実施形態を示す。この構成においては、逆止弁チャンバ７３が延在してボールがより大きく移動できるようにし、それによってシューティングポットの圧縮及び／又はサックバック(suckback)を高めることができる。たとえば、逆止弁チャンバは逆止弁のボール７４の直径の２倍以上であってもよい。上述した実施形態においては、シューティングポットの中心線に対して交差する方向において逆止弁チャンバを整合させており、したがってチャンバ長がシューティングポットシリンダの直径により制限されるものである。図６の実施形態では、チャンバ長はこのような制約を受けない。
【００２２】
７．結論
本発明による有利な諸特徴は、
・共射出ホットランナアセンブリにおいて、シューティングポットシリンダがそれ自体に逆止弁を含みかつ関連する入口チャネル及び出口チャネルを含む、
・入口チャネル及び／又は出口チャネルをシューティングポットの中心線と同軸に、又は中心線に対して交差するように方向付けられるようにシューティングポットシリンダ内で逆止弁を位置合わせすること、
・入口チャネルをシューティングポットの中心線と同軸に整合させることにより、逆止弁チャンバを拡張するためのスペースが提供され、それによってその構成に圧縮／サックバック(suckback)能力を提供すること,
を包含することができる。
【００２３】
したがって、説明したのは、逆止弁をシューティングポットアセンブリ内に、又はアセンブリ内に部分的に、又はアセンブリに隣接して効率的に配置して、向上した封止、スペース要件の低減、並びに組立コスト及び保守コストの低減を提供する方法及び装置である。
【００２４】
添付図面において概略的に示す、又はブロックで示す個々の部品はすべて、射出成形分野において既知であり、それぞれの特定の構造及び動作は本発明の動作及び本発明を実施する最良の形態にとって重要ではない。
【００２５】
本発明を、現時点で好ましい実施形態であると考えられるものに関して説明したが、本発明は、開示される実施形態に限定されないことを理解されたい。これとは対照的に、本発明は、添付の特許請求の範囲の精神及び範囲内に含まれる各種の変更及び等価構成を包含するものである。添付の特許請求の範囲は、このような変更並びに等価の構造及び機能をすべて包含するように最も広い解釈に従うべきである。
【図面の簡単な説明】
【００２６】
【図１】既知の共射出ホットランナマニホルドアセンブリの概略図である。
【図２】逆止弁位置を示す図１の拡大図である。
【図３】逆止弁アセンブリを示す図２の拡大図である。
【図４】本発明の第１の実施形態による共射出ホットランナマニホルドアセンブリの部分概略図である。
【図５】本発明の第２の実施形態による共射出ホットランナマニホルドアセンブリの部分概略図である。
【図６】本発明の好ましい実施形態によるさらなる代替を示す共射出ホットランナマニホルドアセンブリの部分概略図である。
【図１】
2008504146.tif 000003
【図２】
2008504146.tif 000004
【図３】
2008504146.tif 000005
【図４】
2008504146.tif 000006
【図５】
2008504146.tif 000007
【図６】
2008504146.tif 000008
【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
共射出ノズル（２２）を有する共射出ホットランナに装着される取り外し自在な射出成形シューティングポットアセンブリ（２４）及び逆止弁（２９）であって、前記共射出ノズルは同じゲートで終端する少なくとも２つの溶融物チャネルを（２１，２６）有し、該射出成形シューティングポットアセンブリ及び逆止弁は、
弁入口（３２）と、
弁出口（３３）と、
使用時に前記シューティングポットアセンブリ（２４）の溶融物排出動作に応答して前記弁入口（３２）への樹脂の漏れを防ぐ閉鎖体（７４）を有する前記シューティングポットアセンブリ（２４）に一体的に配置される逆止弁チャンバ（７３）と
を備える、射出成形シューティングポットアセンブリ及び逆止弁。
【請求項２】
前記閉鎖体（７４）は、前記シューティングポットアセンブリ（２４）のシューティングポットシリンダ（２７）内に配置されるように構成される、請求項１に記載の逆止弁（２９）。
【請求項３】
前記弁入口（３２）及び前記弁出口（３３）は、前記シューティングポットアセンブリ（２４）の前記シューティングポットシリンダ（２７）内に配置されるように構成される、請求項２に記載の逆止弁（２９）。
【請求項４】
前記閉鎖体（７４）は、前記シューティングポットアセンブリの排出に応答して前記逆止弁チャンバ（７３）内で移動するボール（７４）として構成される、請求項１に記載の逆止弁（２９）。
【請求項５】
前記逆止弁チャンバ（７３）は、前記逆止弁のボール（７４）の直径の少なくとも２倍の長さを有するように構成される、請求項４に記載の逆止弁（２９）。
【請求項６】
前記弁入口（３２）及び前記弁出口（３３）のうちの少なくとも一方は、前記シューティングポットアセンブリ（２４）の中心線と同軸上に配置される、請求項１に記載の逆止弁（２９）。
【請求項７】
共射出ノズル（２２）を有する共射出ホットランナに装着される取り外し自在な射出成形シューティングポットアセンブリ（２４）及び逆止弁（２９）であって、前記共射出ノズル（２２）は同じゲートで終端する少なくとも２つの溶融物チャネル（２１，２６）を有し、該射出成形シューティングポットアセンブリ及び逆止弁は、
溶融物入口チャネル（３２）と、
溶融物を前記共射出ノズル（２２）に提供するように構成される溶融物出口チャネル（３３）と、
前記溶融物入口チャネル（３２）と前記溶融物出口チャネル（３３）との間に配置されるシューティングポットシリンダ（２７）と、
該シューティングポットシリンダ（２７）内での移動により、溶融物を該シューティングポットシリンダ（２７）から前記溶融物出口チャネル（３３）に排出するようにするシューティングポットピストン（２８）と、
前記シューティングポットシリンダ（２７）と一体的に配置され、該シューティングポットシリンダ（２７）からの溶融物の排出に応答して前記溶融物入口チャネル（３２）への溶融物の漏れを防ぐように構成される逆止弁（２９）と
を備える、射出成形シューティングポットアセンブリ及び逆止弁。
【請求項８】
第２の溶融物入口チャネル（５０）と、
第２の溶融物を前記共射出ノズル（２２）に供給するように構成される第２の溶融物出口チャネル（４９）と、
前記第２の溶融物入口チャネル（５０）と前記第２の溶融物出口チャネル（４９）との間に配置される第２のシューティングポットシリンダ（４１）と、
該第２のシューティングポットシリンダ（４１）内での移動により、前記第２の溶融物を該第２のシューティングポットシリンダ（４１）から前記第２の溶融物出口チャネル（４９）に排出するようにする第２のシューティングポットピストンと、
前記第２のシューティングポットシリンダ（４１）にすぐ隣接して配置され、該第２のシューティングポットシリンダ（４１）からの溶融物排出に応答して前記第２の溶融物入口チャネル（５０）に前記第２の溶融物が漏れないようにする第２の逆止弁（５１）と
をさらに備える、請求項７に記載の逆止弁（２９）。
【請求項９】
前記シューティングポットシリンダ（２７）及び前記第２のシューティングポットシリンダ（４１）はほぼ共線的に配置される、請求項７に記載の逆止弁（２９）。
【請求項１０】
前記溶融物入口チャネル（３２）及び前記溶融物出口チャネル（３３）のうちの一方は、前記シューティングポットシリンダ（２７）の長手方向軸に対して交差するように配置され、前記溶融物入口チャネル（５０）及び前記溶融物出口チャネル（４９）のうちの他方は、前記シューティングポットシリンダの前記長手方向軸にほぼ平行に配置される、請求項９に記載の逆止弁（２９）。
【請求項１１】
前記逆止弁（２９）は逆止弁チャンバ（７３）内に配置されたボール（７４）を備え、前記逆止弁チャンバ（７３）は前記逆止弁のボール（７４）の直径の少なくとも２倍の長さを有する、請求項１０に記載の逆止弁（２９）。
【請求項１２】
前記逆止弁チャンバ（７３）の長さは、前記逆止弁のボール（７４）の直径の２倍よりも長い、請求項１１に記載の逆止弁（２９）。
【請求項１３】
前記逆止弁（２９）は、
前記溶融物入口チャネルと流体連通する逆止弁入口（３２）と、
前記溶融物出口チャネルと流体連通する逆止弁出口（３３）と、
逆止弁チャンバ（７３）と、
（ｉ）溶融物が前記溶融物入口チャネルから前記逆止弁入口（３２）を通して前記シューティングポットシリンダに送られると、第１の位置に移動し、且つ（ｉｉ）前記シューティングポットシリンダから前記溶融物出口チャネルへの溶融物の移動に応答して第２の位置に移動して、前記溶融物入口チャネルへの溶融物の漏れを低減する前記逆止弁チャンバ（７３）内に配置された逆止弁閉鎖体（７４）と
を備える、請求項７に記載の逆止弁（２９）。
【請求項１４】
共射出ノズル（２２）を有する共射出ホットランナに装着される取り外し自在な射出成形シューティングポットアセンブリ（２４）及び逆止弁（２９）であって、前記共射出ノズル（２２）は同じゲートで終端する少なくとも２つの溶融物チャネルを有し、該射出成形シューティングポットアセンブリ及び逆止弁は、
シューティングポットピストン（２８）と、
該シューティングポットピストン（２８）が作動すると、溶融物を溶融物出口チャネルに排出するように構成されるシューティングポットシリンダ（２７）と、
該シューティングポットシリンダ（２７）と一体的に配置され、前記シューティングポットピストンの（２８）作動による前記シューティングポットシリンダ（２７）からの前記溶融物の少なくとも部分的な排出に応答して、前記シューティングポットシリンダ（２７）からの溶融物入口チャネルへの溶融物の漏れを低減するように構成される逆止弁（２９）と、
を備える、射出成形シューティングポットアセンブリ及び逆止弁。
【請求項１５】
第２のシューティングポットピストンと、
該第２のシューティングポットピストンが作動すると、第２の溶融物を排出するように構成される第２のシューティングポットシリンダと、
該第２のシューティングポットシリンダ内に、又は該第２のシューティングポットシリンダにすぐ隣接して配置され、前記第２のシューティングポットピストンの作動による前記第２のシューティングポットシリンダからの前記第２の溶融物の少なくとも部分的な排出に応答して、前記第２のシューティングポットシリンダからの前記第２の溶融物の漏れを低減するように構成される第２の逆止弁と
をさらに備える、請求項１４に記載の逆止弁（２９）。
【請求項１６】
前記シューティングポットシリンダ（２７）及び前記第２のシューティングポットシリンダの長手方向軸はほぼ共直線である、請求項１５に記載の逆止弁（２９）。
【請求項１７】
逆止弁チャンバ（７３）内に配置される逆止弁のボール（７４）をさらに備え、前記逆止弁チャンバ（７３）は前記逆止弁のボール（７４）の直径の２倍以上の長さを有する、請求項１４に記載の逆止弁（２９）。
【請求項１８】
前記シューティングポットシリンダ（２７）の長手方向軸は、前記溶融物入口チャネル及び前記溶融物出口チャネルのうちの少なくとも一方の少なくとも一部とほぼ同軸上に配置される、請求項１７に記載の逆止弁（２９）。
【請求項１９】
共射出ノズル（２２）を有する共射出ホットランナに装着される取り外し自在な射出成形シューティングポットアセンブリ（２４）及び逆止弁（２９）であって、前記共射出ノズル（２２）は同じゲートで終端する少なくとも２つの溶融物チャネルを有し、該射出成形シューティングポットアセンブリ及び逆止弁は、
マニホルド（２３）内に少なくとも部分的に配置されるように構成されるシューティングポットシリンダ（４１）と、
該シューティングポットシリンダ（４１）内に少なくとも部分的に配置されるシューティングポットピストン（２８）と、
前記シューティングポットシリンダと一体的な、又は前記シューティングポットシリンダにすぐに隣接する逆止弁チャンバ（７３）と、
該逆止弁チャンバ（７３）内に配置される逆止弁閉鎖体（７４）と
を備える、射出成形シューティングポットアセンブリ及び逆止弁。
【請求項２０】
共射出ノズル（２２）を有する共射出ホットランナに装着される取り外し自在な射出成形シューティングポットアセンブリ（２４）及び逆止弁（２９）であって、前記共射出ノズル（２２）は同じゲートで終端する少なくとも２つの溶融物チャネルを有し、該射出成形シューティングポットアセンブリ及び逆止弁は、
シューティングポットシリンダ（４１）と、
該シューティングポットシリンダ（４１）と一体的に、又は該シューティングポットシリンダにすぐ隣接して配置された逆止弁チャンバ（７３）内において逆止弁閉鎖体（７４）を移動させて、前記シューティングポットシリンダ（４１）に溶融物を少なくとも部分的に充填させる手段と、
前記シューティングポットシリンダ（４１）から溶融物出口チャネル（３３）を通して、更に共射出ノズル（２２）を通して前記溶融物を金型キャビティ内に排出する手段と
を備え、
該排出する手段は、前記逆止弁閉鎖体（７４）を逆止弁チャンバ（７３）内で移動させて、前記シューティングポットシリンダ（４１）から溶融物入口チャネル（３２）への溶融物の漏れを実質的に低減する、射出成形シューティングポットアセンブリ及び逆止弁。
【手続補正２】
【補正対象書類名】図面
【補正対象項目名】図４
【補正方法】変更
【補正の内容】
【図４】
2008504146.tif 000009
【手続補正３】
【補正対象書類名】図面
【補正対象項目名】図５
【補正方法】変更
【補正の内容】
【図５】
2008504146.tif 000010
【手続補正４】
【補正対象書類名】図面
【補正対象項目名】図６
【補正方法】変更
【補正の内容】
【図６】
2008504146.tif 000011
【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
共射出ノズル（２２）を有する共射出ホットランナに装着される取り外し自在な射出成形シューティングポットアセンブリ（２４）及び逆止弁（２９）であって、前記共射出ノズルは同じゲートで終端する少なくとも２つの溶融物チャネルを（２１，２６）有し、該射出成形シューティングポットアセンブリ及び逆止弁は、
弁入口（３２）と、
弁出口（３３）と、
使用時に前記シューティングポットアセンブリ（２４）の溶融物排出動作に応答して前記弁入口（３２）への樹脂の漏れを防ぐ閉鎖体（７４）を有する前記シューティングポットアセンブリ（２４）に一体的に配置される逆止弁チャンバ（７３）と
を備える、射出成形シューティングポットアセンブリ及び逆止弁。
【請求項２】
前記閉鎖体（７４）は、前記シューティングポットアセンブリ（２４）のシューティングポットシリンダ（２７）内に配置されるように構成される、請求項１に記載の射出成形シューティングポットアセンブリ及び逆止弁。
【請求項３】
前記弁入口（３２）及び前記弁出口（３３）は、前記シューティングポットアセンブリ（２４）の前記シューティングポットシリンダ（２７）内に配置されるように構成される、請求項２に記載の射出成形シューティングポットアセンブリ及び逆止弁。
【請求項４】
前記閉鎖体（７４）は、前記シューティングポットアセンブリの排出に応答して前記逆止弁チャンバ（７３）内で移動するボール（７４）として構成される、請求項１に記載の射出成形シューティングポットアセンブリ及び逆止弁。
【請求項５】
前記逆止弁チャンバ（７３）は、前記逆止弁のボール（７４）の直径の少なくとも２倍の長さを有するように構成される、請求項４に記載の射出成形シューティングポットアセンブリ及び逆止弁。
【請求項６】
前記弁入口（３２）及び前記弁出口（３３）のうちの少なくとも一方は、前記シューティングポットアセンブリ（２４）の中心線と同軸上に配置される、請求項１に記載の射出成形シューティングポットアセンブリ及び逆止弁。
【請求項７】
共射出ノズル（２２）を有する共射出ホットランナに装着される取り外し自在な射出成形シューティングポットアセンブリ（２４）及び逆止弁（２９）であって、前記共射出ノズル（２２）は同じゲートで終端する少なくとも２つの溶融物チャネル（２１，２６）を有し、該射出成形シューティングポットアセンブリ及び逆止弁は、
溶融物入口チャネル（３２）と、
溶融物を前記共射出ノズル（２２）に提供するように構成される溶融物出口チャネル（３３）と、
前記溶融物入口チャネル（３２）と前記溶融物出口チャネル（３３）との間に配置されるシューティングポットシリンダ（２７）と、
該シューティングポットシリンダ（２７）内での移動により、溶融物を該シューティングポットシリンダ（２７）から前記溶融物出口チャネル（３３）に排出するようにするシューティングポットピストン（２８）と、
前記シューティングポットシリンダ（２７）と一体的に配置され、該シューティングポットシリンダ（２７）からの溶融物の排出に応答して前記溶融物入口チャネル（３２）への溶融物の漏れを防ぐように構成される逆止弁（２９）と
を備える、射出成形シューティングポットアセンブリ及び逆止弁。
【請求項８】
第２の溶融物入口チャネル（５０）と、
第２の溶融物を前記共射出ノズル（２２）に供給するように構成される第２の溶融物出口チャネル（４９）と、
前記第２の溶融物入口チャネル（５０）と前記第２の溶融物出口チャネル（４９）との間に配置される第２のシューティングポットシリンダ（４１）と、
該第２のシューティングポットシリンダ（４１）内での移動により、前記第２の溶融物を該第２のシューティングポットシリンダ（４１）から前記第２の溶融物出口チャネル（４９）に排出するようにする第２のシューティングポットピストンと、
前記第２のシューティングポットシリンダ（４１）にすぐ隣接して配置され、該第２のシューティングポットシリンダ（４１）からの溶融物排出に応答して前記第２の溶融物入口チャネル（５０）に前記第２の溶融物が漏れないようにする第２の逆止弁（５１）と
をさらに備える、請求項７に記載の射出成形シューティングポットアセンブリ及び逆止弁。
【請求項９】
前記シューティングポットシリンダ（２７）及び前記第２のシューティングポットシリンダ（４１）はほぼ共線的に配置される、請求項７に記載の射出成形シューティングポットアセンブリ及び逆止弁。
【請求項１０】
前記溶融物入口チャネル（３２）及び前記溶融物出口チャネル（３３）のうちの一方は、前記シューティングポットシリンダ（２７）の長手方向軸に対して交差するように配置され、前記溶融物入口チャネル（５０）及び前記溶融物出口チャネル（４９）のうちの他方は、前記シューティングポットシリンダの前記長手方向軸にほぼ平行に配置される、請求項９に記載の射出成形シューティングポットアセンブリ及び逆止弁。
【請求項１１】
前記逆止弁（２９）は逆止弁チャンバ（７３）内に配置されたボール（７４）を備え、前記逆止弁チャンバ（７３）は前記逆止弁のボール（７４）の直径の少なくとも２倍の長さを有する、請求項１０に記載の射出成形シューティングポットアセンブリ及び逆止弁。
【請求項１２】
前記逆止弁チャンバ（７３）の長さは、前記逆止弁のボール（７４）の直径の２倍よりも長い、請求項１１に記載の射出成形シューティングポットアセンブリ及び逆止弁。
【請求項１３】
前記逆止弁（２９）は、
前記溶融物入口チャネルと流体連通する逆止弁入口（３２）と、
前記溶融物出口チャネルと流体連通する逆止弁出口（３３）と、
逆止弁チャンバ（７３）と、
（ｉ）溶融物が前記溶融物入口チャネルから前記逆止弁入口（３２）を通して前記シューティングポットシリンダに送られると、第１の位置に移動し、且つ（ｉｉ）前記シューティングポットシリンダから前記溶融物出口チャネルへの溶融物の移動に応答して第２の位置に移動して、前記溶融物入口チャネルへの溶融物の漏れを低減する前記逆止弁チャンバ（７３）内に配置された逆止弁閉鎖体（７４）と
を備える、請求項７に記載の射出成形シューティングポットアセンブリ及び逆止弁。
【請求項１４】
共射出ノズル（２２）を有する共射出ホットランナに装着される取り外し自在な射出成形シューティングポットアセンブリ（２４）及び逆止弁（２９）であって、前記共射出ノズル（２２）は同じゲートで終端する少なくとも２つの溶融物チャネルを有し、該射出成形シューティングポットアセンブリ及び逆止弁は、
シューティングポットピストン（２８）と、
該シューティングポットピストン（２８）が作動すると、溶融物を溶融物出口チャネルに排出するように構成されるシューティングポットシリンダ（２７）と、
該シューティングポットシリンダ（２７）と一体的に配置され、前記シューティングポットピストンの（２８）作動による前記シューティングポットシリンダ（２７）からの前記溶融物の少なくとも部分的な排出に応答して、前記シューティングポットシリンダ（２７）からの溶融物入口チャネルへの溶融物の漏れを低減するように構成される逆止弁（２９）と、
を備える、射出成形シューティングポットアセンブリ及び逆止弁。
【請求項１５】
第２のシューティングポットピストンと、
該第２のシューティングポットピストンが作動すると、第２の溶融物を排出するように構成される第２のシューティングポットシリンダと、
該第２のシューティングポットシリンダ内に、又は該第２のシューティングポットシリンダにすぐ隣接して配置され、前記第２のシューティングポットピストンの作動による前記第２のシューティングポットシリンダからの前記第２の溶融物の少なくとも部分的な排出に応答して、前記第２のシューティングポットシリンダからの前記第２の溶融物の漏れを低減するように構成される第２の逆止弁と
をさらに備える、請求項１４に記載の射出成形シューティングポットアセンブリ及び逆止弁。
【請求項１６】
前記シューティングポットシリンダ（２７）及び前記第２のシューティングポットシリンダの長手方向軸はほぼ共直線である、請求項１５に記載の射出成形シューティングポットアセンブリ及び逆止弁。
【請求項１７】
逆止弁チャンバ（７３）内に配置される逆止弁のボール（７４）をさらに備え、前記逆止弁チャンバ（７３）は前記逆止弁のボール（７４）の直径の２倍以上の長さを有する、請求項１４に記載の射出成形シューティングポットアセンブリ及び逆止弁。
【請求項１８】
前記シューティングポットシリンダ（２７）の長手方向軸は、前記溶融物入口チャネル及び前記溶融物出口チャネルのうちの少なくとも一方の少なくとも一部とほぼ同軸上に配置される、請求項１７に記載の射出成形シューティングポットアセンブリ及び逆止弁。
【請求項１９】
共射出ノズル（２２）を有する共射出ホットランナに装着される取り外し自在な射出成形シューティングポットアセンブリ及び逆止弁（２９）であって、前記共射出ノズル（２２）は同じゲートで終端する少なくとも２つの溶融物チャネルを有し、該射出成形シューティングポットアセンブリ及び逆止弁は、
マニホルド（２３）内に少なくとも部分的に配置されるように構成されるシューティングポットシリンダ（４１）と、
該シューティングポットシリンダ（４１）内に少なくとも部分的に配置されるシューティングポットピストン（２８）と、
前記シューティングポットシリンダと一体的な、又は前記シューティングポットシリンダにすぐに隣接する逆止弁チャンバ（７３）と、
該逆止弁チャンバ（７３）内に配置される逆止弁閉鎖体（７４）と
を備える、射出成形シューティングポットアセンブリ及び逆止弁。
【請求項２０】
共射出ノズル（２２）を有する共射出ホットランナに装着される取り外し自在な射出成形シューティングポットアセンブリ及び逆止弁であって、前記共射出ノズル（２２）は同じゲートで終端する少なくとも２つの溶融物チャネルを有し、該射出成形シューティングポットアセンブリ及び逆止弁は、
シューティングポットシリンダ（４１）と、
該シューティングポットシリンダ（４１）と一体的に、又は該シューティングポットシリンダにすぐ隣接して配置された逆止弁チャンバ（７３）内において逆止弁閉鎖体（７４）を移動させて、前記シューティングポットシリンダ（４１）に溶融物を少なくとも部分的に充填させる手段と、
前記シューティングポットシリンダ（４１）から溶融物出口チャネル（３３）を通して、更に共射出ノズル（２２）を通して前記溶融物を金型キャビティ内に排出する手段と
を備え、
該排出する手段は、前記逆止弁閉鎖体（７４）を逆止弁チャンバ（７３）内で移動させて、前記シューティングポットシリンダ（４１）から溶融物入口チャネル（３２）への溶融物の漏れを実質的に低減する、射出成形シューティングポットアセンブリ及び逆止弁。
【国際調査報告】
2008504146.tif 000012
2008504146.tif 000013